(57)【特許請求の範囲】
【請求項１】
レンズを保持するための内筒と、
この内筒の外側に位置する外筒であって、前記内筒が当該外筒の内面に沿って中心軸方向に直線的にスライドするように前記内筒を支持するための外筒と、
前記内筒と外筒との間に同軸状に配置された状態で回転するカム筒とを有し、
前記カム筒は、前記中心軸を通る面で少なくとも２つに分割された同形状の複数のサブユニットと、
前記複数のサブユニットの少なくとも１つを前記外筒に設けられた操作用のスリットを通して動かして前記カム筒を回転するための操作部と、
前記カム筒が回転すると、前記内筒に設けられた受動部を介して前記内筒を前記中心軸方向に沿って前後方向にスライドするための螺旋カム機構と、
前記複数のサブユニットの少なくとも１つを前記外筒に引き付けて前記カム筒の回転を止める保持機構とを具備し、前記複数のサブユニットは、前記内筒と外筒との間に機械的に連結されていない状態で配置され、回転操作されるときは筒として連動し、前記保持機構により前記外筒に引き付けられるときは独立して動く、レンズ保持ユニット。
【請求項２】
請求項１において、前記螺旋カム機構は、内筒に設けられた受動部に対し前後方向で当たる、前記中心軸に対して螺旋状のガイドを具備するレンズ保持ユニット。
【請求項３】
請求項１において、前記外筒は、前記中心軸に対して螺旋状のスリットを備えており、
前記螺旋カム機構は、前記螺旋状のスリットの内部を動く受動突出部と、
前記内筒から外側に延びた受動部に対し前後方向で当たるように周方向に延びたガイドとを具備するレンズ保持ユニット。
【請求項４】
請求項３において、前記螺旋状のスリットは前記操作用のスリットを兼ねており、
前記受動突出部は、前記操作部を兼ねている、レンズ保持ユニット。
【請求項５】
請求項１ないし４のいずれかにおいて、前記操作部は、前記保持機構を兼ねており、ねじ止め用の部材をねじ込み可能である、レンズ保持ユニット。
【請求項６】
請求項３において、前記受動突出部は、前記保持機構を兼ねており、ねじ止め用の部材をねじ込み可能である、レンズ保持ユニット。
【請求項７】
請求項１ないし６のいずれかにおいて、前記外筒および前記内筒は、前記中心軸を通る面で少なくとも２つに分割されたクラムシェルタイプである、レンズ保持ユニット。
【請求項８】
請求項１ないし７のいずれかにおいて、前記受動部は前記内筒と一体成型されている、レンズ保持ユニット。
【請求項９】
請求項１ないし８のいずれかに記載のレンズ保持ユニットと、前記内筒に保持された少なくとも１枚のレンズとを有するレンズユニット。
【請求項１０】
請求項９に記載のレンズユニットと、光変調器と、スクリーンとを有し、前記光変調器からの投影光を前記スクリーンに投写する画像表示装置。
【発明の詳細な説明】
【技術分野】
【０００１】
本発明は、液晶表示装置あるいはＤＭＤなどの光変調器に表示された像をスクリーンに拡大投影する画像表示装置に適したレンズ保持ユニットおよびレンズユニットに関するものである。
【背景技術】
【０００２】
画像信号により光を変調して画像を形成する光変調器からの投影光を投写レンズによりスクリーンに背側から投写するリア方式のプロジェクタ装置（以下、リアプロジェクタ装置という）が知られている。
【０００３】
一方、特許文献１には、移動レンズユニットを備えたレンズ装置が開示されている。このレンズ装置は、外周に中心軸方向と平行に複数のカム溝が設けられた鏡筒と、鏡筒の中心軸に対して斜交して設けられた複数のカム溝を有して鏡筒内に配置されカム環と、カム環内に配置された移動レンズユニットと、移動レンズユニットの外周に設置された複数のカムピンと、移動レンズユニットの外周に連結されてカムピンを保持するカムピン保持枠とを備えている。このレンズ装置は、カムピンおよびカムピン保持枠にそれぞれを一体に貫通する貫通孔を設け、貫通孔に移動レンズユニットの外周に当接する調整ネジを螺着させることで、調整ネジによって移動レンズユニットの外周を押し出すように構成されている。
【特許文献１】特開平８−３２７８７２号公報
【発明の開示】
【発明が解決しようとする課題】
【０００４】
リアプロジェクタ装置は、液晶表示装置やＤＭＤ（デジタルミラーデバイス）などの光変調器（ライトバルブあるいは画像形成装置）により形成された画像を、レンズユニット（投写レンズ）を用いてスクリーンに裏側から拡大投影する。リアプロジェクタ装置は、薄型で大画像を映し出せるので、次世代の画像表示装置として注目を集めている。また、リアプロジェクタ装置においては、ライトバルブとスクリーンとの位置関係は固定されるので、レンズユニットの焦点は固定されていることが望ましい。
【０００５】
複数枚のレンズを備えたレンズユニットにおいて、固定焦点タイプであるといっても、個々のレンズにおいても、それらのレンズを保持するレンズ保持ユニットにおいても、製造公差はあり、レンズ同士の光軸位置の微調整などが必要となる。また、レンズユニットの個体差に加えて、リアプロジェクタ装置においても個体差があるので、リアプロジェクタ装置にレンズユニットを組み込む際に、焦点を微調整できることが要求される。
【０００６】
一方、リアプロジェクタ装置用の投影用レンズユニットは、光変調器により形成された画像を拡大投影するため、僅かな焦点のずれであってもスクリーンに形成される画像の品質が劣化し易い。特に、今後、リアプロジェクタ装置は、ブラウン管、液晶表示装置、プラズマディスプレイといったライトバルブを直視するタイプのディスプレイに代わる製品としても期待されている。したがって、リアプロジェクタ装置のスクリーンに投影される像に対しては、従来の直視型のディスプレイと同様の鮮明さが要求されている。したがって、レンズユニットは、焦点などの微調整が済んでリアプロジェクタ装置に取り付けられた後は、出荷やユーザの元への搬送途上などにおいて加わる衝撃により焦点がずれてしまうようなことは好ましくない。
【課題を解決するための手段】
【０００７】
本発明の一形態はレンズ保持ユニットであり、レンズを保持するための内筒と、この内筒の外側に位置する外筒であって、内筒が外筒の内面に沿って中心軸方向に直線的にスライドするように内筒を支持するための外筒と、内筒と外筒との間に同軸状に配置された状態で回転するカム筒とを有する。さらに、カム筒は、中心軸を通るように少なくとも２つに分割された同形状の複数のサブユニットと、サブユニットの少なくとも１つを外筒に設けられた操作用のスリットを通して動かしてカム筒を回転させるための操作部と、カム筒が回転したときに、内筒に設けられた受動部を介して内筒を中心軸方向に沿って前後方向にスライドするための螺旋カム機構と、複数のサブユニットの少なくとも１つを外筒に引き付けてカム筒の回転を止めるための保持機構とを具備し、複数のサブユニットは、内筒と外筒との間に機械的に未連結な状態で配置され、回転操作されるときは筒として連動し、保持機構により外筒に引き付けられるときは独立して動く。
【０００８】
焦点調整のためにカム環を利用して、ベースとなる枠に対してレンズ枠を移動するシステムは、焦点調整をした後に、ベースとなる枠に対するカム環の回転を固定することにより衝撃に対してレンズ枠の移動を防止しやすい。しかしながら、カム環をベースとなる枠に固定するために、固定用のねじでカム環を半径方向に引っ張っても押しても、レンズ枠またはベースとなる枠に対して応力が加わり、出荷前に微調整した光軸がずれる可能性がある。カムを環にしないことにより、この問題は解決できる可能性がある。しかしながら、カムを環にしないとレンズ保持ユニットに組み込んだ状態で回転移動することができない。
【０００９】
本発明の一形態のレンズ保持ユニットは、カム筒を内筒と外筒の間で同軸状に配置され回転する。そして、内筒は、外筒の内面に沿って中心軸方向に直線的にスライドするように支持される。したがって、カム筒を、実質的に環にせず、中心軸を通る面で少なくとも２つに分割されたサブユニットを備えた形態にしても、カム筒はレンズ保持ユニットに組み込まれ、操作部によって、カム筒を、外筒に設けられた操作用のスリットを通して回転させることができる。そして、螺旋カム機構によって、内筒に設けられた受動部を介して内筒を中心軸方向に沿って前後方向にスライドできるので、焦点調整を行える。しかも、カム筒は、サブユニットに分割されているため、焦点調整後、保持機構によって、サブユニットの少なくとも１つを外筒に引き付けてカム筒の回転を止めても、内筒にも外筒にも応力は加わり難い。したがって、焦点調整後、カム筒の回転を固定して衝撃により焦点がずれることを防止できると共に、その際、内筒に応力が加わって調整済みのレンズの光軸などの条件がずれてしまうことを抑止できる。
【００１０】
レンズ保持ユニットの螺旋カム機構の一形態は、内筒から外側に延びた受動部に対し前後方向で当たる、中心軸に対して螺旋状のガイドを具備するものである。この場合、カム筒を外筒の外から回転させると、カム筒は前後に動かず、螺旋状のガイドによって、内筒に設けられた受動部を介して内筒が中心軸方向に沿って前後方向にスライドする。
【００１１】
レンズ保持ユニットの他の一形態は、外筒が、中心軸に対して螺旋状のスリットを備え、螺旋カム機構は、螺旋状のスリットの内部を動く受動突出部と、内筒から外側に延びた受動部に対し前後方向で当たるように周方向に延びたガイドとを具備するものである。この場合、カム筒を外筒の外から回転させると、受動突出部が螺旋状のスリットの内部を動き、カム筒が前後に動くと共に、内筒から外側に延びた受動部がカム筒のガイドに前後方向で接触し、内筒が前後方向にスライドする。
【００１２】
螺旋状のスリットは、操作用のスリットを兼ねることができ、受動突出部は、操作部を兼ねることができる。さらに、受動突出部は、保持機構を兼ねることができる。したがって、保持機構は、ねじ止め用の部材をねじ込み可能であることが好ましい。
【００１３】
さらに、操作部は、保持機構を兼ねることができる。したがって、操作部は、ねじ止め用の部材をねじ込み可能であるのが好ましい。
【００１４】
また、これらの内筒、外筒、およびカム筒は、樹脂により成型するのが好ましい。受動部と内筒とを一体成型することにより、内筒に中心軸に沿った方向（光軸方向、スラスト方向）から衝撃が印加された場合であっても、受動部がカム筒から不用意に脱落するのを抑止できる。
【００１５】
このレンズ保持ユニットのカム筒は、筒部材を中心軸に沿って中心軸を中心に２つに分割した同形状のサブユニットを備えた、いわゆるクラムシェルタイプと称されるものとなる。外筒および内筒の構成としても、中心軸を通る面で少なくとも２つに分割されたクラムシェルタイプを採用できる。クラムシェルタイプのホルダは、１つの成形用の型から製造した２つのサブユニットを接合するので、レンズ保持ユニットを低コストで製造および組立ができる。また、同一構造で、同じ公差を持ったサブユニット同士をラジアル方向（半径方向）から支持して１つのホルダとするため、レンズの中心または光軸を揃え易い。したがって、リアプロジェクタ装置用のレンズユニットに、クラムシェルタイプのホルダを用いることは好適である。
【００１６】
本発明の一形態は、上記のレンズ保持ユニットと、内筒に保持された少なくとも１枚のレンズとを有するレンズユニットであり、焦点の微調整が可能であり、さらに、耐衝撃性能が高く、光学的性能を安定して維持できるものである。さらに、本発明の一形態は、このレンズユニットと、このレンズユニットを通じてスクリーンに投影する画像を形成する光変調器と、スクリーンとを有する画像表示装置であり、鮮明な画像を安定してスクリーンに映し出すことが可能となる。
【発明を実施するための最良の形態】
【００１７】
図１に、画像表示装置として、リアプロジェクタ装置１の概要を示してある。このリアプロジェクタ装置１は、ハウジング２の内部に、光源３と、光源３からの光を画像信号により変調して画像を形成する光変調器（ライトバルブ）４と、ライトバルブ４の画像を拡大投影するためのレンズシステム５と、投影光８を反射してスクリーン９に導くミラー７とを有している。そして、ハウジング２の表面にスクリーン９が配置されており、そのスクリーン９に後方からレンズシステム５を介してライトバルブ４の画像が拡大して投影される。ライトバルブ４としては、液晶表示パネルやマイクロミラー素子によるＤＭＤパネル等を採用できる。
【００１８】
図２に、投写用のレンズシステム５の概略構成を示してある。このレンズシステム５は、幾つかのレンズユニットを接続することにより構成されている。この例では、出力側（拡大側）のレンズユニット５ａと、内部で光路を折り曲げるためのプリズム６を収納したレンズユニット５ｂと、入力側のレンズユニット５ｃとを備えている。レンズシステム５は、全体としてＬ字型になっており、内蔵されたプリズム６により、その内部で光を９０度曲げて投影光８を出力する。この投影光８は、リアプロジェクタ装置１のミラー７を介してスクリーン９に投影され画像を形成する。
【００１９】
図３に、レンズユニット５ａの側面図を示してある。また、図４に、このレンズユニット５ａの断面図を示してある。レンズユニット５ａは、レンズ保持ユニット２０ａと、レンズ保持ユニット２０ａに保持された少なくとも１枚、この例では、２枚のレンズ１０とを有している。
【００２０】
図５に、レンズ保持ユニット２０ａの展開斜視図を示してある。レンズ保持ユニット２０ａは、レンズ１０を保持するためのほぼ円筒状の内筒３０と、この内筒３０の外側に位置する外筒４０であって、内筒３０が当該外筒４０の内面４９ａに沿って内筒３０の中心軸Ｌ方向に直線的にスライドするように内筒３０を支持するための外筒４０と、内筒３０と外筒４０との間に同軸状に配置された状態で回転するカム筒５０とを有している。内筒３０、外筒４０、およびカム筒５０は、それぞれクラムシェルタイプのホルダであり、それぞれのサブユニットは、樹脂により成型されている。それぞれの筒３０、４０および５０は、レンズユニット５ａの光軸とほぼ一致する、内筒３０の中心軸Ｌを含む面により上下または左右に２つに分割された同一形状のクラムシェルタイプのサブユニット３１、４１、５１を備えている。そして、内筒３０および外筒４０においては、それらのサブユニット３１および４１をそれぞれボルトなどにより接合することにより、１つのほぼ円筒状のシェルが構成される。一方、カム筒５０は、同一形状の２つのサブユニット５１が、内筒３０と外筒４０との間に接合されない状態で、同軸状に組み込まれており、カム筒５０として回転し機能するものの、機械的あるいは構造的には個々のサブユニット５１が独立した状態となっている。
【００２１】
これらの筒３０、４０および５０は、それぞれを３つ以上のサブユニットにより構成することも可能である。しかしながら、レンズ保持ユニット２０ａを組み立てる際の組み立てやすさ、樹脂（プラスチック）などによる成型のし易さなどを検討すると、中心軸Ｌに沿って、中心軸Ｌを中心に２つに分割した形状の、同一のサブユニットを採用することが好ましい。
【００２２】
図６は、レンズ保持ユニット２０ａを、外筒４０のサブユニット４１およびカム筒５０のサブユニット５１の一方をそれぞれ外した状態で示してある。図７は、レンズ保持ユニット２０ａを、外筒４０のサブユニット４１の一方を外した状態で示してある。
【００２３】
まず、内筒３０は、内周面３９ａに、レンズ１０を保持するための幾つかの構造、例えば、突起３８を備えている。また、外周面３９ｂに、周方向に沿って外側に突き出るように設けられた第１のフランジ３２ａ、第２のフランジ３２ｂおよび第３のフランジ３２ｃを備えている。第１のフランジ３２ａは、外筒４０から外側に延び、他のレンズユニットとの接続に用いられる。第２のフランジ３２ａおよび第３のフランジ３２ｃは、外筒４０の内面４９ａに接触する。したがって、内筒３０は外筒４０の内面４９ａに沿って中心軸Ｌの方向にスライドするように支持される。
【００２４】
また、第２のフランジ３２ｂと第３のフランジ３２ｃとの間には、内筒３０と外筒４０との間に隙間Ｇが生成され、その隙間Ｇに、カム筒５０が配置される。さらに、内筒３０の外周面には、外側に延びた２つの受動部３７が設けられており、カム筒５０により中心軸Ｌの方向（前後方向）に駆動されるようになっている。
【００２５】
カム筒５０は、このカム筒５０が回転したときに、内筒３０から外側に延びた２つの受動部３７を介して内筒３０を中心軸Ｌ方向に沿って前後方向にスライドさせるための螺旋カムを用いた機構を備えている。図３ないし図５に示すように、このカム筒５０の螺旋カムとしての機能は、外筒４０に形成された、中心軸Ｌに対し螺旋状のスリット４２をガイドとして前後方向に動く機能である。このため、それぞれのサブユニット５１の外周面５９ｂに、対向する外筒のサブユニット４１に形成された螺旋状のスリット４２の内部を動く受動突出部５２が設けられている。
【００２６】
さらに、それぞれのサブユニット５１の内周面５９ａに、受動部３７に対し前後方向で当たるように周方向に延びたガイド溝５４が形成されている。各ガイド溝５４の中間部分には、架橋部５５が設けられている。そのため、内筒３０は、カム筒５０に対して中心軸Ｌを中心として約１８０°の範囲内で回転可能であり、カム筒５０を含めて、レンズユニット５ａがアッセンブルされた後でも、後述するコマを取り付ける前であれば、外筒４０に対して内筒３０を中心軸Ｌの回りに回転させて光軸の調整ができるようになっている。
【００２７】
なお、内筒３０の受動部３７は、内筒３０の外周面３９ｂから外側に延びる突出部に限定されるものではない。内筒３０に、受動部となるガイド溝を設けてもよい。この場合、カム筒のサブユニット５１には、その内面５９ａから内筒３０の側に延びる突出部を設ければよい。
【００２８】
本例のカム筒５０の受動突出部５２は、さらに、サブユニット５１を、アッセンブルしたときに対向する外筒４０のサブユニット４１に引き付けてカム筒５０の回転を止めるための保持機構と、外筒４０の外側からカム筒５０を操作するための操作部としての機能とを兼ねている。すなわち、外筒４０のサブユニット４１に設けられた、カム機構用の螺旋状のスリット４２は、操作用のスリットを兼ねており、このスリット４２を貫通した状態でセットされ、外筒４０の外面４９ｂから見える受動突出部５２が操作部を兼ねている。
【００２９】
カム筒５０の受動突出部（操作部）５２は、ボスとなっている。したがって、図３および図５に示すように、操作部５２を操作してカム筒５０を回転させ、内筒３０を前後方向に動かして焦点を微調整した後、ねじ止め用の部材６０をねじ込み、サブユニット５１を外筒４０の方向に引き付けて密着し、カム筒５０の回転を止めることができる。さらに、ねじ止め用の部材６０の代わりに、先端がねじになった操作レバーを操作部５２にねじ込むことが可能であり、焦点を微調整する際に利用できる。
【００３０】
外筒４０には、カム筒５０の操作用と、螺旋カムのガイドとしての機能を兼用したスリット４２に加えて、内筒３０を外筒４０に対して中心軸Ｌに沿って直線的に移動させるために、中心軸Ｌと平行な方向に設けられたスリット４３が設けられている。そして、カム筒５０のサブユニット５１には、周方向に沿って中心軸Ｌに対して垂直な方向に延びたスリット５６が設けられており、内筒３０の外周面３９ｂに取り付けられたコマ３３が、スリット５６を通して、外筒４０のスリット４３により中心軸Ｌに沿った方向に動くようになっている。したがって、カム筒５０を回転操作しても、内筒３０は回転せず、内筒３０は、フランジ３２ｂおよび３２ｃにより外筒４０の内面４９ａに接した状態で、ガタツキなく、コマ３３とスリット４３により、外筒４０に対して回転せず、中心軸Ｌの方向に直線的にスライドする。このため、レンズシステム５を組み立てる際に、光軸調整などの微調整を終了しておけば、リアプロジェクタ１に組み込むときに、光軸が合わさった状態で、軸ぶれを起こさずにレンズシステム５の焦点調整を行うことができる。
【００３１】
光軸調整は、コマ３３を内筒３０の外周面３９ｂに取り付けるときに行うことができる。すなわち、内筒３０の外周面３９ｂには、第２のフランジ３２ｂと第３のフランジ３２ｃとの間に、周方向に沿い、所定の間隔を置いて、複数の孔部３５が設けられている。コマ３３は、内筒３０に設けられた複数の孔部３５のいずれにもセットすることができる。したがって、レンズユニット５ａまたはレンズシステム５を組み立てる際に、内筒３０にレンズ１０をセットし、外筒４０に対して内筒３０を回転させ、光軸の調整を行った後に、外筒４０のスリット４３およびカム筒５０のスリット５６を通して、外筒４０の外側から適当な孔部３５にコマ３３をセットできる。その後は、コマ３３と外筒のスリット４３により内筒３０は外筒４０に対して回転しない。このため、出荷段階で光軸調整を行うことにより、その後は良好な光学特性を維持できる。
【００３２】
このレンズ保持ユニット２０ａを備えたレンズユニット５ａを用いて組み立てられたレンズシステム５では、次のように焦点の微調整が行われる。まず、操作部５２によって、カム筒５０を外筒４０に設けられた操作用のスリット４２を通して回転させる。これにより、操作部を兼ねた受動突起部５２が外筒４０の操作用を兼ねた螺旋スリット４２にガイドされて動き、カム筒５０が螺旋カムとして機能し、回転操作を中心軸Ｌの方向の前後の動きに変換し、内筒３０に設けられた受動部３７を介して内筒３０に伝達する。したがって、内筒３０は、中心軸Ｌ方向に沿って、外筒４０に対して前後方向にスライドする。この際、内筒３０が外筒４０に対して回転しないことは上述した通りである。したがって、光軸方向にぶれることなく、簡単に焦点調整を行うことができる。
【００３３】
焦点調整後、図３および図５に示すように、保持機構を兼ねる受動突出部５２にねじ止め用の部材６０をねじ込むことによって、カム筒５０のサブユニット５１を外筒４０に引き付けてカム筒５０の回転を止める。このとき、カム筒５０のサブユニット５１は、外筒４０と内筒３０との間のギャップＧに組み込まれているだけで回転操作するときは筒として動くものの、機械的には連結されていない。したがって、サブユニット５１を外筒４０に引き上げて固定しても、内筒３０には応力は加わらない。したがって、焦点調整後、カム筒５０が内筒３０に当接して再び内筒３０がずれ、それによりレンズシステムの光軸がずれることを抑止しつつ、カム筒５０の回転を固定することができる。そして、螺旋カム機構は、ガイド面が中心軸方向（スラスト方向）および半径方向に傾いているので、レンズユニット５ａに対して様々な方向から衝撃が加わっても内筒３０がカム筒５０に対して動き難い。したがって、いったん焦点を微調整してレンズシステム５をリアプロジェクタ１に組み込んだ後は、焦点はずれ難く、スクリーンに鮮明な画像を安定して投影することができる。
【００３４】
図８に、本発明の一形態に係る、異なるレンズユニット５ａの例を示してある。また、図９に、このレンズユニット５ａのレンズ保持ユニット２０ｂの展開斜視図を示してある。上記のレンズ保持ユニット２０ａは、カム筒５０が外筒４０に対して前後方向に移動するタイプであったのに対し、本例のレンズ保持ユニット２０ｂは、カム筒５０は外筒４０に対して前後方向に移動せず、カム筒５０が回転するとカム筒５０に対して内筒３０のみが前後方向に移動するタイプである。その他の構成については、ほぼ共通するので、共通する部分については共通する符号を付して説明を省略する。
【００３５】
カム筒５０は、サブユニット５１の少なくとも１つを外筒４０に設けられた操作用のスリット４４を通して動かしてカム筒５０を回転させるための操作部５７と、カム筒５０が回転すると、内筒３０に設けられた受動部３４を介して内筒３０を中心軸Ｌ方向に沿って前後方向にスライドさせるための螺旋カム機構と、サブユニット５１を外筒４０に引き付けてカム筒５０の回転を止めるための保持機構とを備えている。このレンズ保持ユニット２０ｂでは、操作部５７が保持機構を兼ねており、ねじ止め用の部材６０をねじ込み可能である。螺旋カム機構として、内筒３０から外側に延びた受動部３４に対し前後方向で当り、この受動部３４を介して内筒３０を前後方向に動かすための、中心軸Ｌに対して螺旋状のスリット５８を備えている。受動部３４は、さらに、カム筒５０を貫通して、外筒５０の前後方向に直線状に延びたスリット４３に入り、内筒３０を外筒４０に対して回転せずに直線状に動かすためのガイドも兼ねている。
【００３６】
したがって、このレンズ保持ユニット２０ｂを採用したレンズユニット５ａにおいても、上記のレンズユニットと同様に、光軸調整が可能であり、さらに、焦点調整した後に、カム筒５０のサブユニット５１から突き出た操作部５７を保持機構としてねじ止めすることにより、光軸を合わせた状態で、軸ぶれを起こさずに焦点調整を行うことができる。
【００３７】
なお、上記の例では、内筒３０、外筒４０およびカム筒５０は、同じパーツ（サブユニット）を組み合わせるクラムシェルタイプを採用しているので、それぞれ筒を構成するサブユニット３１、４１および５１はそれぞれ同じ構成となっている。例えば、保持ユニット２０ａの外筒５０においては、それぞれのサブユニット５１に、スリット４２および４３が設けられているが、全てのスリットをそれぞれの目的で使用しても良く、あるいは、同じ機能を持ったスリットの一方だけを、その機能を果たすために用いても良い。他のサブユニットにおいても同様である。
【００３８】
また、カム筒は、回転運動を前後方向の動きに変換できるものであれば良く、内筒を外筒に対して前後方向に動かすためのカム筒の構成は上記には限定されない。例えば、螺旋状のガイドは、溝であっても、スリットであっても、エッジであっても良い。また、螺旋状のガイドは、外筒あるいはカム筒に限らず、内筒に設けることも可能である。
【００３９】
また、上記では、リアプロジェクタ装置、それに適したレンズシステムおよびレンズ保持ユニットを説明したが、本発明の一形態であるレンズ保持ユニットおよびレンズユニットは画像を投影する全てのシステムに適用することが可能である。また、画像を投影するシステムに限定されずに、レンズを用いる光学装置または光学システムにも適用することができる。
【図面の簡単な説明】
【００４０】
【図１】リアプロジェクタ装置の概略構成を示す図。
【図２】リアプロジェクタ装置のレンズシステムを示す図。
【図３】レンズシステムを構成するためのレンズユニットを示す側面図。
【図４】図３に示すレンズユニットの断面図。
【図５】図３に示すレンズユニットのレンズ保持ユニットの展開斜視図。
【図６】図５のレンズ保持ユニットを、カム筒および外筒のサブユニットの一方を外した状態で示す側面図。
【図７】図５のレンズ保持ユニットを、外筒のサブユニットの一方を外した状態で示す側面図。
【図８】本発明の他の一形態にかかるレンズユニットを示す側面図。
【図９】図８のレンズ保持ユニットの展開斜視図。
【符号の説明】
【００４１】
１    リアプロジェクタ装置（画像表示装置）、  ４    光変調器
５    レンズシステム、  ５ａ    レンズユニット
９    スクリーン、  １０    レンズ
２０ａ、２０ｂ    レンズ保持ユニット
３０    内筒、  ３４    受動突出部、  ３７    受動部
４０    外筒
４２    操作用のスリット（螺旋状のスリット、螺旋状のガイド）
４４    操作用のスリット
５０    カム筒、  ５１    カム筒のサブユニット
５２    操作部（受動突出部）、  ５４    ガイド溝（ガイド）
５７    操作部、  ５８    螺旋状のガイド
６０    ねじ止め用の部材、  Ｌ    中心軸
【図１】
0004674130.tif 000002
【図２】
0004674130.tif 000003
【図３】
0004674130.tif 000004
【図４】
0004674130.tif 000005
【図５】
0004674130.tif 000006
【図６】
0004674130.tif 000007
【図７】
0004674130.tif 000008
【図８】
0004674130.tif 000009
【図９】
0004674130.tif 000010